(57)【要約】      （修正有）【課題】光ファイバを含む光コードを効率よく複数点で保持するのに適した光コネクタを提供する。【解決手段】本発明の光コネクタＸは、固定部材１０と、プラグ部材２０と、スリーブ部材３０とを備える、光接続のための部品である。固定部材１０は、貫通孔を有する胴部１１と、貫通孔に挿通され且つ貫通孔から部分的に出ている光ファイバ７１を挟むための、胴部１１から延出して互いに間隔をあけて沿って延びる一対の挟持片１２,１２とを含む。プラグ部材２０は、固定部材１０の一対の挟持片１２,１２を嵌め込むことが可能な開口部２１Ａを有する。この開口部２１Ａへの挟持片１２,１２の嵌め込みにより、挟持片１２,１２は、互いに接近する方向に付勢力を受ける。スリーブ部材３０は、固定部材１０の胴部１１との間に光コード７０の繊維材７２を挟み込みつつ胴部１１に外嵌可能である。【選択図】図３
2020194012.tif 000002
【特許請求の範囲】
【請求項１】
光ファイバと、当該光ファイバに添って延びる繊維材と、これらを覆うコード外被とを含む光コードのための光コネクタであって、
貫通孔を有する胴部と、前記貫通孔に挿通され且つ当該貫通孔から部分的に出ている光ファイバを挟むための、前記胴部から延出して互いに間隔をあけて沿って延びる一対の挟持片と、を含む固定部材と、
前記固定部材の前記一対の挟持片を嵌め込むことが可能な開口部を有するプラグ部材と、
前記固定部材の前記胴部に外嵌可能なスリーブ部材と、を備え、
前記プラグ部材の前記開口部に対する前記固定部材の前記一対の挟持片の嵌め込みによって当該一対の挟持片は互いに接近する方向に付勢力を受け、
前記スリーブ部材は、前記固定部材の前記胴部との間に光コードの繊維材を挟み込みつつ当該胴部に外嵌可能であることを特徴とする、光コネクタ。
【請求項２】
前記プラグ部材は、光ファイバ先端挿通孔を有するフェルールを備えることを特徴とする、請求項１に記載の光コネクタ。
【請求項３】
前記固定部材の前記胴部と前記スリーブ部材とは、光コードの繊維材を巻き込みつつ螺合可能であることを特徴とする、請求項１または２に記載の光コネクタ。
【請求項４】
前記固定部材の前記胴部は、前記一対の挟持片とは反対の側に案内部を含み、当該案内部は、光コードの繊維材を案内するための少なくとも一つの案内溝を有することを特徴とする、請求項１から３のいずれか一つに記載の光コネクタ。
【請求項５】
前記固定部材の前記胴部は、前記一対の挟持片とは反対の側に案内部を含み、
前記スリーブ部材は、前記案内部との間に光コードのコード外被を挟み込みつつ前記胴部に外嵌可能であることを特徴とする、請求項１から４のいずれか一つに記載の光コネクタ。
【請求項６】
前記プラグ部材は、前記開口部内に臨む一対の被係止部を有し、
前記固定部材の前記一対の挟持片のそれぞれは、前記被係止部に係止可能な係止凸部を有することを特徴とする、請求項１から５のいずれか一つに記載の光コネクタ。
【発明の詳細な説明】
【技術分野】
【０００１】
本発明は、光ファイバどうしを接続するための光ファイバコネクタ、即ち光コネクタに関する。
【背景技術】
【０００２】
光通信ネットワークにおいては、光伝送路をなすための光ファイバや、光ファイバどうしを光接続するための光コネクタが、使用される場合がある。光ファイバは、例えば、それを被覆して延びる外被を伴う光コードの形態で提供される。光コネクタは、例えば、光ファイバにおける先端部の末端面を露出させつつ光ファイバ先端部に取り付けられる部品であり、光ファイバ先端部において組み付けられる複数の部品からなる。光コネクタによる光接続では、接続対象の両光ファイバの末端面どうしが当接される。このような光コネクタに関する技術については、例えば下記の特許文献１に記載されている。
【先行技術文献】
【特許文献】
【０００３】
【特許文献１】特開２０１９−６６７７２号公報
【発明の概要】
【発明が解決しようとする課題】
【０００４】
光コネクタによる光接続において、光ファイバ末端面どうしが適切に当接するためには、光ファイバ末端面を含む光ファイバ先端部が光コネクタに対して適切に保持されて固定される必要がある。
【０００５】
本発明は、光ファイバを含む光コードを効率よく複数点で保持するのに適した光コネクタを提供する。
【課題を解決するための手段】
【０００６】
本発明により提供される光コネクタは、固定部材と、プラグ部材と、スリーブ部材とを備える、光コードの光接続のための部品である。光コードは、光ファイバと、これに添って延びる繊維材と、これらを覆うコード外被とを含む。光コネクタの固定部材は、貫通孔を有する胴部と、貫通孔に挿通され且つ当該貫通孔から部分的に出ている光ファイバを挟むための、胴部から延出して互いに間隔をあけて沿って延びる一対の挟持片とを含む。プラグ部材は、固定部材の一対の挟持片を嵌め込むことが可能な開口部を有する。この開口部への挟持片の嵌め込みにより、一対の挟持片は、互いに接近する方向に付勢力を受ける。挟持片間に光ファイバが介在する状態では、開口部への挟持片の嵌め込みにより、一対の挟持片は、光ファイバを挟みつつ互いに接近する方向に付勢力を受ける。スリーブ部材は、固定部材の胴部との間に光コードの繊維材を挟み込みつつ胴部に外嵌可能である。
【０００７】
以上の構成を具備する本発明の光コネクタは、例えば次のようにして、光コードに取り付けることができる。
【０００８】
まず、光コード先端部において、コード外被を除去して繊維材を露出させ、さらに当該繊維材を光ファイバ周りから離して光ファイバを露出させる。次に、露出した光ファイバおよび繊維材がスリーブ部材を通過するように光コードをスリーブ部材に挿通させる。次に、露出している光ファイバを固定部材に挿通させる。具体的には、露出している光ファイバが固定部材における胴部の貫通孔を通過したうえで一対の挟持片の間を延びて通過するように、光ファイバを固定部材に挿通させる（この時、露出している繊維材は固定部材に挿通させない）。次に、固定部材とスリーブ部材とを連結させる。具体的には、固定部材の胴部とスリーブ部材との間に光コードの繊維材を挟み込みつつスリーブ部材を胴部に外嵌させる。これにより、光コードがその繊維材を介して固定部材とスリーブ部材との連結箇所に固定される。
【０００９】
本光コネクタの取り付けにおいては、次に、光ファイバをプラグ部材に挿通させたうえで当該プラグ部材と固定部材とを連結させる。具体的には、固定部材とスリーブ部材との連結箇所に光コードが上述のように固定された状態で、光コードから露出している光ファイバ（その一部は固定部材の一対の挟持片間を延びる）をプラグ部材に対してその上記開口部側から挿通させ、そして、当該開口部に対して固定部材の一対の挟持片を嵌め込む。開口部への挟持片の嵌め込みにより、一対の挟持片は、光ファイバを挟みつつ、互いに接近する方向に付勢力を受ける。これにより、光コードの光ファイバが固定部材における一対の挟持片間に固定される。
【００１０】
本光コネクタの例えば以上のような取付け作業を経ることにより、光コードがその繊維材を介して固定部材とスリーブ部材との連結箇所に固定されるとともに、プラグ部材の開口部に嵌め込まれた一対の挟持片（固定部材の一部）の間に光コードにおける光ファイバが固定される。すなわち、本光コネクタは、光ファイバを含む光コードを三つのパーツの連携によって複数点で保持できる。また、光コネクタにおいてそのような複数保持を実現するためのパーツが三つであることは、簡易な光コネクタ取付け作業を実現するのに適し、従って、光コネクタ取付け作業の効率化を図るのに適する。
【００１１】
以上のように、本発明の光コネクタは、光ファイバを含む光コードを効率よく複数点で保持するのに適する。光コネクタによって光コードを複数点で保持できることは、光ファイバ末端面を含む光ファイバ先端部を光コネクタに対して適切に固定して、当該光コネクタによる光接続において光ファイバ末端面どうしを適切に当接させるうえで好適である。光接続において、光ファイバ末端面どうしの適切な当接は、伝送損失の抑制の観点から好ましい。
【００１２】
本発明の光コネクタにおけるプラグ部材は、好ましくは、光ファイバ先端挿通孔を有するフェルールを備える。このような構成は、光ファイバ末端面を含む光ファイバ先端部を当該フェルールによって固定するのに適し、従って、光ファイバを含む光コードを本光コネクタによって効率よく複数点で保持するのに適する。
【００１３】
本光コネクタにおいて、好ましくは、固定部材の胴部とスリーブ部材とは、光コードの繊維材を巻き込みつつ螺合可能である。このような構成は、光コードにおける繊維材を固定部材の胴部とスリーブ部材との連結箇所に強固に固定するのに適する。
【００１４】
本光コネクタにおいて、好ましくは、固定部材の胴部は、一対の挟持片とは反対の側に案内部を含み、当該案内部は、光コードの繊維材を案内するための少なくとも一つの案内溝を有する。このような構成は、固定部材の胴部とスリーブ部材との間に光コードの繊維材を適切に導くうえで好ましい。
【００１５】
本光コネクタにおいて、好ましくは、固定部材の胴部は、一対の挟持片とは反対の側に案内部を含み、スリーブ部材は、固定部材における案内部との間に光コードのコード外被を挟み込みつつ胴部に外嵌可能である。このような構成は、光コードをそのコード外被を介して固定部材とスリーブ部材との連結箇所に固定するのに適し、従って、光ファイバを含む光コードを本光コネクタによって効率よく複数点で保持するのに適する。
【００１６】
本光コネクタにおいて、好ましくは、プラグ部材は、その開口部内に臨む一対の被係止部を有し、且つ、固定部材の一対の挟持片のそれぞれは、被係止部に係止可能な係止凸部を有する。プラグ部材における被係止部とは、例えば、プラグ部材の開口部内に臨む窓部または凹部である。プラグ部材および固定部材に関するこのような構成は、プラグ部材の開口部に対する固定部材の一対の挟持片の嵌め込みによってプラグ部材と固定部材とが連結された後に当該プラグ部材から固定部材が脱離するのを抑制するのに適する。
【図面の簡単な説明】
【００１７】
【図１】本発明の一実施形態に係る光コネクタの斜視図である。
【図２】図１に示す光コネクタの分解斜視図である。
【図３】図１における線III-IIIに沿った光コネクタの断面図である。
【図４】図２における線IV-IVに沿った固定部材の断面図である。
【図５】図２における線V-Vに沿ったプラグ部材のハウジングの断面図である。
【図６】本発明の一実施形態に係る光コネクタを光コードに取り付ける作業の一工程を表す。
【図７】図６に示す工程の後に続く工程を表す。
【図８】図７に示す工程の後に続く工程を表す。
【図９】図８に示す工程の後に続く工程を表す。
【図１０】図９に示す工程の後に続く工程を表す。
【図１１】図１０における線XI-XIに沿った断面図である。
【図１２】図１０に示す工程の後に続く工程を表す。
【図１３】図１２に示す工程の後に続く工程を表す。
【図１４】図１３における線XIV-XIVに沿った断面図である。
【発明を実施するための形態】
【００１８】
図１から図３は、本発明の一実施形態に係る光コネクタＸを表す。図１は、光コネクタＸの斜視図である。図２は、光コネクタＸの分解斜視図である。図３は、図１における線III−IIIに沿った光コネクタＸの断面図である。これらの図では、光コネクタＸが取り付けられる光コードの一例である光コード７０を光コネクタＸとともに表す。
【００１９】
光コネクタＸは、固定部材１０と、プラグ部材２０と、スリーブ部材３０とを備える、光コードの光接続のための部品である。光コネクタＸによって光接続される光コードは、本実施形態では光コード７０である。光コード７０は、光ファイバ７１と、これに添って延びる繊維材７２（図１では図示略）と、これらを覆うコード外被７３とを含む。
【００２０】
光ファイバ７１は、相対的に屈折率が高くて光伝送路そのものをなすコアと、相対的に屈折率が低く且つコア周りに位置してコアに添って延びるクラッドとを含む。コアの構成材料としては、例えば、ポリメタクリル酸メチルやポリカーボネートなど可撓性を有する樹脂材料、および石英ガラスが挙げられ、好ましくは、可撓性を有する樹脂材料が採用される。クラッドの構成材料としては、例えば、含フッ素ポリイミドなどの含フッ素ポリマーが挙げられる。光ファイバ７１は、これらコアおよびクラッドからなる光ファイバ素線であってもよいし、光ファイバ素線がコーティング材で被覆されている光ファイバ心線であってもよい。
【００２１】
繊維材７２は、光ファイバ７１に作用する引張り力による光ファイバ７１の断線を防止するための抗張力繊維体である。繊維材７２の構成繊維としては、例えば、ポリ-ｐ-フェニレンテレフタルアミド繊維などのアラミド繊維、ポリアリレート繊維、ポリパラフェニレンベンズビスオキサゾール繊維、および、ポリエチレンテレフタレート繊維などのポリエステル繊維が挙げられる。
【００２２】
コード外被７３は、光ファイバ７１および繊維材７２を被覆保護するための要素である。コード外被７３の構成材料としては、例えば、ポリ塩化ビニルやポリエチレン、ノンハロゲン難燃ポリエチレンなどの樹脂材料が挙げられる。
【００２３】
固定部材１０は、図２、図３および図４に示すように、胴部１１と、その一端部から延出する一対の挟持片１２,１２とを有する。このような固定部材１０は、例えば、プラスチック材料の射出成型体である。
【００２４】
胴部１１は、光ファイバ７１が挿通可能な貫通孔１１ａと、ネジ部１１ｂとを有する。貫通孔１１ａは、胴部１１の一端部において一対の挟持片１２,１２の間にて開口している。ネジ部１１ｂは、本実施形態ではネジ山であり、固定部材１０と後述のスリーブ部材３０とが連結するための要素である。また、胴部１１は、挟持片１２,１２とは反対の側に案内部１１Ａを含む。案内部１１Ａは、ネジ部１１ｂから離れるに従って先細りとなるテーパー形状（略切頭円錐形状）を有し、光コード７０の繊維材７２を案内するための少なくとも一つの案内溝１１ｃ（図２に表れている）を有する。本実施形態では、案内部１１Ａは、その周面において互いに反対側に位置する（即ち径方向に離れて位置する）二つの案内溝１１ｃを有する。
【００２５】
一対の挟持片１２,１２は、貫通孔１１ａに挿通され且つ貫通孔１１ａから部分的に出ている光ファイバ７１を挟むための部位であって、固定部材１０の胴部１１の一端側において、互いに間隔をあけて沿って延びる。各挟持片１２は、胴部１１側（挟持片１２の基端側）に位置して外側に膨らむ係止凸部１２ａを有する。
【００２６】
プラグ部材２０は、光接続において光コネクタ間接続用の光アダプタ（図示せず）に部分的に差し込まれる部材であり、ハウジング２１と、フェルール２２と、コイルばね２３と、ラッチレバー２４とを備える。
【００２７】
ハウジング２１は、略角筒形状を有し、図５によく表れているように、それを貫通するように繋がる内部スペースとしての開口部２１Ａ,２１Ｂを有し、且つ、開口部２１Ａを規定する壁部に二つの窓部２１ａ（被係止部）を有する。また、ハウジング２１は、開口部２１Ａと開口部２１Ｂとの間の位置にて内壁面から突出する突出部２１ｂを有する。突出部２１ｂは、例えば、ハウジング内壁面において開口部２１Ａ,２１Ｂ間の位置の全周にわたって設けられている。このようなハウジング２１は、例えば、プラスチック材料の射出成型体である。
【００２８】
フェルール２２およびコイルばね２３は、開口部２１Ａ側からハウジング２１に収容されている。フェルール２２は、光ファイバ７１の先端部が挿通されて保持される挿通孔２２ａ（光ファイバ先端挿通孔の一例）を有する。挿通孔２２ａには光ファイバ７１が挿通可能である。このようなフェルール２２は、例えば、挿通孔２２ａの一部をなす精密貫通孔を有するセラミック部２２Ａを備えるセラミック一体型フェルールである。フェルール２２は、そのセラミック部２２Ａが開口部２１Ｂを貫通してプラグ部材２０の一方側に露出し、且つ、突出部２１ｂに当接するように、開口部２１Ａ側からハウジング２１内に収容されている。コイルばね２３は、ハウジング２１内に収容されているフェルール２２を開口部２０Ｂ側に向けて付勢するように、開口部２１Ａ内に収容されている。
【００２９】
ハウジング２１の開口部２１Ａに対しては、固定部材１０における上述の一対の挟持片１２,１２を嵌め込むことが可能である。開口部２１Ａへの挟持片１２,１２の嵌め込みにより、一対の挟持片１２は、互いに接近する方向に付勢力を受ける。挟持片１２,１２間に光ファイバ７１が介在する状態では、開口部２１Ａへの挟持片１２,１２の嵌め込みにより、挟持片１２,１２は、光ファイバ７１を挟みつつ互いに接近する方向に付勢力を受ける。また、開口部２１Ａに挟持片１２,１２が嵌め込まれた状態において、挟持片１２における係止凸部１２ａ,１２ａのそれぞれは、ハウジング２１内部から窓部２１ａに係止可能である。ハウジング２１は、窓部２１aの代わりに、挟持片１２の係止凸部１２ａが係止可能な凹部を開口部２１Ａの内壁面に有してもよい。
【００３０】
ラッチレバー２４は、ハウジング２１から、それに対して傾斜する方向に延びる。このラッチレバー２４は、光コネクタＸにおけるプラグ部材２０を光アダプタに差し込む時に、ハウジング２１側に向けて押されて変形する部位である。ラッチレバー２４は、例えば、プラスチック材料の射出成型体であり、ハウジング２１と一体成型されている。
【００３１】
スリーブ部材３０は、固定部材１０の胴部１１との間に光コード７０の繊維材７２を挟み込みつつ胴部１１に外嵌可能な部材であり、そのスリーブ構造内壁にネジ部３１および傾斜面部３２を有する。ネジ部３１は、本実施形態ではネジ溝であり、固定部材１０の胴部１１のネジ部１１ｂ（ネジ山）と螺合可能である。傾斜面部３２は、固定部材１０の胴部１１におけるテーパー形状の案内部１１Ａに沿うように傾斜している。案内部１１Ａと傾斜面部３２との離隔距離Ｌは、光コード７０のコード外被７３の厚さに相当する。このようなスリーブ部材３０は、例えば、プラスチック材料の射出成型体である。
【００３２】
以上のような構成を具備する光コネクタＸは、例えば以下のようにして、光コード７０に取り付けることができる。
【００３３】
まず、図６に示すように、光コード７０の先端部において、コード外被７３を除去して繊維材７２を露出させ、さらに繊維材７２を光ファイバ７１周りから離して光ファイバ７１を露出させる。また、コード外被７３には、その遊端から延び方向に沿って切れ込み７３ａを例えば２本入れる。
【００３４】
次に、図７に示すように、光コード７０をスリーブ部材３０に挿通させる。具体的には、露出した光ファイバ７１および繊維材７２がスリーブ部材３０を通過するように、光コード７０をスリーブ部材３０に挿通させる。
【００３５】
次に、図８に示すように、露出している光ファイバ７１を固定部材１０に挿通させる。具体的には、露出している光ファイバ７１が固定部材１０における胴部１１の貫通孔１１ａを通り且つ一対の挟持片１２,１２の間に介在するように、光ファイバ７１を固定部材１０に挿通させる。この時、露出している繊維材７２は固定部材１０に挿通させない。
【００３６】
次に、図９に示すように、切れ込み７３ａの形成されているコード外被７３に対して固定部材１０における案内部１１Ａを差し込む。その際、例えば、繊維材７２を予め二つに束ね分けたうえで繊維材７２の各束を案内溝１１ｃ（二つの案内溝１１ｃのうち一方が図２に示されている）に沿わせた状態で、固定部材１０の案内部１１Ａをコード外被７３に差し込む。或いは、繊維材７２を一つに束ねたうえでその繊維材７２を案内溝１１ｃに沿わせた状態で、固定部材１０の案内部１１Ａをコード外被７３に差し込んでもよい。或いは、繊維材７２を束ねずに案内溝１１Ａの周方向にバラした状態で、固定部材１０の案内部１１Ａをコード外被７３に差し込んでもよい。
【００３７】
次に、図１０および図１１に示すように、固定部材１０とスリーブ部材３０との間に光コード７０の繊維材７２とコード外被７３を挟み込みつつ、固定部材１０とスリーブ部材３０とを連結させる。具体的には、固定部材１０の胴部１１のネジ部１１ｂとスリーブ部材３０のネジ部３１との間に繊維材７２を巻き込みつつ、且つ固定部材１０における案内部１１Ａとスリーブ部材３０の傾斜面部３２との間にコード外被７３を挟み込みつつ、ネジ部１１ｂとネジ部３１とを螺合して、固定部材１０の胴部１１にスリーブ部材３０を外嵌させる（図１１では、繊維材７２においてネジ部１１ｂ,３１間に挟まれる部分の図示を省略する）。これにより、光コード７０がその繊維材７２を介して固定部材１０とスリーブ部材３０との連結箇所に固定され、且つ、光コード７０がそのコード外被７３を介して固定部材１０とスリーブ部材３０との連結箇所に固定される。
【００３８】
次に、図１２に示すようにプラグ部材２０を用意する。そして、図１３および図１４に示すように、光ファイバ７１をプラグ部材２０に挿通させたうえでプラグ部材２０と固定部材１０とを連結させる。具体的には、まず、固定部材１０とスリーブ部材３０との連結箇所に光コード７０が上述のように固定された状態で、露出している光ファイバ７１をプラグ部材２０のハウジング２１に対してその開口部２１Ａ側から挿通させる。この時、ハウジング２１内のフェルール２２の挿通孔２２ａにも光ファイバ７１を挿通させる。次に、固定部材１０の一対の挟持片１２,１２をハウジング２１の開口部２１Ａに嵌め込む。この時、各挟持片１２の係止凸部１２ａがハウジング２１の窓部２１ａに入り込むまで、挟持片１２,１２を開口部２１Ａに嵌め込む。開口部２１Ａへの挟持片１２,１２の嵌め込みにより、挟持片１２,１２は、光ファイバ７１を挟みつつ、互いに接近する方向に付勢力を受ける。これにより、光コード７０の光ファイバ７１が固定部材１０における一対の挟持片１２,１２間に固定される。
【００３９】
この後、フェルール２２外に延びる光ファイバ７１を切除する。また、必要に応じて光コネクタＸ外に延びる繊維材７２も切除する。
【００４０】
光コネクタＸの例えば以上のような取付け作業を経ることにより、光コード７０がその繊維材７２およびコード外被７３を介して固定部材１０とスリーブ部材３０との連結箇所に固定されるとともに、プラグ部材２０における開口部２１Ａに嵌め込まれた一対の挟持片１２（固定部材１０の一部）の間に光コード７０における光ファイバ７１が固定される。すなわち、光コネクタＸは、光ファイバ７１を含む光コード７０を三つのパーツ（固定部材１０とプラグ部材２０とスリーブ部材３０）の連携によって複数点で保持できる。また、光コネクタＸにおいてそのような複数保持を実現するためのパーツが三つであることは、簡易な光コネクタ取付け作業を実現するのに適し、従って、光コネクタ取付け作業の効率化を図るのに適する。
【００４１】
以上のように、光コネクタＸは、光ファイバ７１を含む光コード７０を効率よく複数点で保持するのに適する。光コネクタＸによって光コード７０を複数点で保持できることは、光ファイバ７１の末端面を含む光ファイバ先端部を光コネクタＸに対して適切に固定して、光コネクタＸによる光接続において光ファイバ末端面どうしを適切に当接させるうえで好適である。光接続において、光ファイバ末端面どうしの適切な当接は、伝送損失の抑制の観点から好ましい。
【００４２】
光コネクタＸにおけるプラグ部材２０は、上述のように、光ファイバ先端挿通孔である挿通孔２２ａを有するフェルール２２を備える。このような構成は、光ファイバ７１の末端面を含む光ファイバ７１の先端部をフェルール２２によって固定するのに適し、従って、光ファイバ７１を含む光コード７０を光コネクタＸによって効率よく複数点で保持するのに適する。
【００４３】
光コネクタＸにおいて、固定部材１０の胴部１１のネジ部１１ｂとスリーブ部材３０のネジ部３１とは、上述のように、光コード７０の繊維材７２を巻き込みつつ螺合可能である。このような構成は、光コード７０における繊維材７２を固定部材１０の胴部１１とスリーブ部材３０との連結箇所に強固に固定するのに適する。
【００４４】
光コネクタＸにおいて、固定部材１０の案内部１１Ａは、上述のように、光コード７０の繊維材７２を案内するための少なくとも一つの案内溝１１ｃを有する。このような構成は、固定部材１０の胴部１１とスリーブ部材３０との間に光コード７０の繊維材７２を適切に導くうえで好ましい。
【００４５】
光コネクタＸにおいて、プラグ部材２０のハウジング２１は、その開口部２１Ａ内に臨む被係止部として一対の窓部２１ａ,２１ａを有し、且つ、固定部材１０の一対の挟持片１２,１２のそれぞれは、窓部２１ａに係止可能な係止凸部１２ａを有する。このような構成は、プラグ部材２０のハウジング２１の開口部２１Ａに対する固定部材１０の一対の挟持片１２,１２の嵌め込みによってプラグ部材２０と固定部材１０とが連結された後に当該プラグ部材２０から固定部材１０が脱離するのを抑制するのに適する。ハウジング２１は、窓部２１aの代わりの被係止部として、挟持片１２の係止凸部１２ａが係止可能な凹部を開口部２１Ａの内壁面に有してもよい。
【符号の説明】
【００４６】
Ｘ              光コネクタ
１０            固定部材
１１            胴部
１１Ａ          案内部
１１ａ          貫通孔
１１ｂ          ネジ部
１１ｃ          案内溝
１２            挟持片
１２ａ          係止凸部
２０            プラグ部材
２１            ハウジング
２１Ａ，２１Ｂ  開口部
２１ａ          窓部（被係止部）
２１ｂ          突出部
２２            フェルール
２２ａ          挿通孔（光ファイバ先端挿通孔）
２３            コイルばね
２４            ラッチレバー
３０            スリーブ部材
３１            ネジ部
３２            傾斜面部
７０            光コード
７１            光ファイバ
７２            繊維材
７３            コード外被
【図１】
2020194012.tif 000003
【図２】
2020194012.tif 000004
【図３】
2020194012.tif 000005
【図４】
2020194012.tif 000006
【図５】
2020194012.tif 000007
【図６】
2020194012.tif 000008
【図７】
2020194012.tif 000009
【図８】
2020194012.tif 000010
【図９】
2020194012.tif 000011
【図１０】
2020194012.tif 000012
【図１１】
2020194012.tif 000013
【図１２】
2020194012.tif 000014
【図１３】
2020194012.tif 000015
【図１４】
2020194012.tif 000016